【事件の表示】
　平成　４年特許願第１９３４５２号「パチンコ機の画像表示装置」拒絶査定不服審判事件〔平成　６年　１月１８日出願公開、特開平　６−　　７５０８〕について、次のとおり審決する。
【結　論】
　本件審判の請求は、成り立たない。
【理　由】
１．手続きの経緯、本願発明
　本願は、平成４年６月２６日に出願したものであって、その請求項１乃至３に係る発明は、平成１１年６月１１日付けの手続補正書、平成１３年１月２５日付けの手続補正書及び平成１３年９月１２日付けの手続補正書により補正された明細書及び図面の記載からみて、本願の特許請求の範囲の請求項１乃至３に記載されたとおりのものと認められるところ、その請求項１に記載された発明（以下、「本願発明」という。）は次のとおりである。
　
【請求項１】　遊技盤面に識別情報および一般情報が表示される可変表示装置と、
　発射球が通過可能な第１領域および第２領域と、
　前記第１領域への発射球の通過に基づいて、特定の特別識別情報が前記可変表示装置の表示面に停止表示されたとき開放作動を行う第１の可変入賞球装置と、
　前記第２領域への発射球の通過に基づいて、特定の普通識別情報が前記可変表示装置の表示面に停止表示されたとき開放作動を行う第２の可変入賞球装置とを備え、
　前記第１領域を前記第２の可変入賞球装置の入賞領域に設け、
　前記識別情報の停止表示される前記可変表示装置の表示面が複数の分割表示面からなるパチンコ機の画像表示装置において、
　前記可変表示装置は、ＬＣＤカラーパネル、ビデオ制御回路、キャラクタジェネレータＲＯＭ、ビデオＲＡＭ及びインターフェイス回路とを備え、
　前記可変表示装置の表示面は前記ＬＣＤカラーパネルからなり、
　前記ビデオ制御回路は、前記特別識別情報を前記分割表示面のいずれかに停止表示させるとともに、前記普通識別情報を前記特別識別情報が停止表示される分割表示面とは異なる分割表示面に停止表示させ、前記インターフェイス回路は、ＲＯＭに備えられた制御プログラム及び各種データに基づいて制御を行うＭＰＵとの電気的整合を図るためのものであり、
　前記ＭＰＵによって前記特別識別情報および前記普通識別情報に相当する停止図柄データが選択され、該停止図柄データに応じた制御信号が前記ＭＰＵから前記インターフェイス回路を介して前記ビデオ制御回路に入力され、
　該ビデオ制御回路によって同一画面上の前記複数の分割表示面に特別識別情報と普通識別情報が表示制御されることを特徴とするパチンコ機の画像表示装置。
　
２．引用例
　これに対し、原査定では拒絶の理由で、以下の引用例１乃至３、及び、周知例として引用例４を引用している。
　
引用例１：特開平４−１１７９８０号公報（原査定で引用文献２として提示した刊行物）
引用例２：特開昭５６−３１７７２号公報（原査定で引用文献５として提示した刊行物）
引用例３：特開平３−５５０８２号公報（原査定で周知例として提示した刊行物）
引用例４：特開平２−１９５９７７号公報（原査定で引用文献４として提示した刊行物）
　
２−１．引用例に記載された発明
　引用例１［特開平４−１１７９８０号公報］には、図面とともに、次の事項が記載されている。
「遊技者にとって有利な第１の状態と遊技者にとって不利な第２の状態とに変化可能な特別可変入賞球装置と、複数種類の識別情報が可変表示可能な特別可変表示装置と、打玉の入賞により前記特別可変表示装置を可変表示させるように定められた始動入賞領域と、該始動入賞領域に入賞した入賞玉を検出する始動入賞玉検出手段と、該始動入賞玉検出手段の検出出力に基づいて前記特別可変表示装置を可変表示させ、所定の停止条件の成立に基づいて前記特別可変表示装置を停止制御する特別可変表示制御手段と、前記特別可変表示装置の停止時の表示結果が予め定められた特定の識別情報になった場合に、所定の規制条件が成立するまで前記特別可変入賞球装置を前記第１の状態に駆動する特別駆動制御手段と、……とを含む弾球遊技機であって、複数種類の識別情報が可変表示可能な普通可変表示装置と、打玉の入賞により前記普通可変表示装置を可変表示させるように定められた普通始動入賞領域と、該普通始動入賞領域に入賞した普通始動入賞玉を検出する普通始動入賞玉検出手段と、該普通始動入賞玉検出手段の検出出力に基づいて前記普通可変表示装置を可変表示させ、所定の停止条件の成立に基づいて前記普通可変表示装置を停止制御させる普通可変表示制御手段と、遊技者にとって有利な第１の状態と遊技者によって不利な第２の状態とに変化可能な普通可変入賞球装置とを含み、該普通可変入賞球装置は、少なくとも、前記普通可変表示装置の停止時の表示結果が所定の識別情報になった場合に所定の規制条件が成立するまで前記第１の状態に駆動され、………ことを特徴とする、弾球遊技機。」（第１頁左欄第５行−第２頁左上欄第１２行）
「遊技領域223に打ち込まれたパチンコ玉が特別始動入賞口9a,9bのいずれかに入賞すれば、始動入賞玉検出器11a,11bのうちの対応する始動入賞玉検出器により検出され、その検出出力に基づいて前記特別可変表示装置１が可変表示を開始する。この特別可変表示装置１は、左図柄，中図柄，右図柄の３つの図柄をそれぞれ可変表示する特別可変表示器1a,1b,1cを含み、前記特別始動入賞口9a,9bへのパチンコ玉の入賞に伴ってすべての特別可変表示器1a,1b,1cがいっせいに可変表示を開始し、所定時間の経過によりまず向かって左の図柄が停止され、さらに所定時間経過した後に中央の図柄が停止され、さらに所定時間経過した後に右の図柄が停止される。なお、この停止順序は左，中央，右以外の順序であってもよい。パチンコ玉が普通始動通過口７を通過すればその通過玉が始動通過玉検出器８により検出され、その検出出力に基づいて普通可変表示装置２が可変表示を開始する。この普通可変表示装置２は、左図柄，右図柄の２つの図柄をそれぞれ可変表示する普通可変表示器2a、2bを含む。この普通可変表示器2a,2bは、前記始動通過玉検出器８からの検出出力に基づいていっせいに可変表示を開始し所定時間の経過によりまず向かって左の普通可変表示器2aが停止されさらに所定時間が経過することにより向かって右の普通可変表示器2bが停止制御される。なお、この普通可変表示装置２は１つまたは３つ以上の普通可変表示器からなるものであってもよく、特別可変表示装置１は１つまたは２つあるいは４つ以上の特別可変表示器からなるものであってもよい。さらに、これら可変表示装置1,2は、常時可変表示させておき、始動入賞（始動通過）により改めて可変開始するものであってもよい。その場合には、始動入賞（始動通過）により可変表示の明るさや早さを切換えて可変開始を報知するように構成することが望ましい。さらに、本実施例では７セグLEDにより可変表示する可変表示装置1,2を示すが、その他に、回転ドラム式可変表示装置，液晶表示式可変表示装置，ドットマトリクス式可変表示装置，エレクトロルミネセンスを用いた可変表示装置，複数のランプが点灯走行して可変表示を行なうルーレット式可変表示装置，回転ディスク式可変表示装置等であってもよい。特別可変表示器1a,1b,1cや普通可変表示器2a、2bは、０〜９の10種類の数字を可変表示するものであり、特別可変表示装置１の表示結果が、第１図に示す横３行および斜め対角線上に２列の合計５列のラインにたとえば777が揃えば大当り状態となり、ソレノイド16が励磁されて開閉板51が開成される。」（第３頁右下欄第７行−第４頁右上欄第１７行）
「この普通始動通過口７にパチンコ玉が通過して可変表示された普通可変表示装置２の停止時の表示結果が所定の識別情報（たとえば77）となれば、ソレノイド15を励磁させて普通可変入賞球装置４を比較的長い所定時間（たとえば６秒間）開成制御する。」（第５頁左上欄第６−１１行）
「本実施例では、普通可変入賞球装置４を通常の入賞口として構成したが、この普通可変入賞球装置４に入賞したパチンコ玉を始動入賞玉検出器により検出し、その検出出力に基づいて特別可変表示装置１が可変表示されるようにしてもよい。」（第５頁左上欄第１６−２０行）
「第２図は、パチンコ遊技機に用いられる制御回路を示すブロック図である。マイクロコンピュータ60は以下に述べるような各種機器の動作を制御する機能を有する。このため、マイクロコンピュータ60は、たとえば数チップのLSIで構成されており、その中には制御動作を所定の手順で実行することのできるMPU61と、MPU61の動作プログラムデータを格納するROM62と必要なデータの書込および読出ができるRAM63とを含む。さらに、マイクロコンピュータ60は入力信号を受けてMPU61に入力データを与えるとともにMPU61からの出力データを受けて外部に出力する入出力回路64と、MPU61から音データを受けるサウンドジェネレータ69と、電源投入時にMPU61にリセットパルスを与えるパワーオンリセット回路65と、MPU61にクロック信号を与えるクロック発生回路66と、クロック発生回路66からのクロック信号を分周してリセットパルスを定期的（たとえば2msec毎）にMPU61に与えるパルス分周回路（定期リセット回路）67と、MPU61からのアドレスデータをデコードするアドレスデコード回路68とを含む。」（第５頁右下欄第７行−第６頁左上欄第１０行）
「次に、マイクロコンピュータ60は以下の回路および装置に制御信号を与える。まず、ソレノイド駆動回路74を介してアタッカーソレノイド16に特別可変入賞球装置駆動用制御信号を与える。ソレノイド駆動回路74を介してチューリップソレノイド15に普通可変入賞球装置駆動用制御信号を与える。７セグLED駆動回路75を介して、特別可変表示器1a,1b,1cならびに普通可変表示器2a,2bに可変表示制御信号を与える。つまり、前述したように、始動入賞玉検出器11a,11bの検出出力に基づいて特別可変表示装置を可変表示させるための制御信号を導出し、所定の停止条件の成立に基づいて特別可変表示装置を停止制御させるための制御信号を導出する。さらに、前述したように、始動通過玉検出器８からの検出信号に基づいて普通可変表示装置を可変表示させる制御信号を導出し、所定の停止条件の成立に基づいて普通可変表示装置を停止制御させるための制御信号を導出する。」（第６頁左下欄第２−２０行）
　以上の記載によれば、引用例１には、
「遊技領域２２３に識別情報が表示される特別可変表示装置１及び普通可変表示装置２と、打ち込まれたパチンコ玉が通過可能な始動入賞領域および普通始動通過口７と、前記始動入賞領域へのパチンコ玉の通過に基づいて、特定の識別情報が特別可変表示装置１に停止表示された場合に開成される特別可変入賞装置３と、前記普通始動通過口７へのパチンコ玉の通過に基づいて、所定の識別情報が普通可変表示装置２の停止表示された場合に開成される普通可変入賞球装置４と、前記始動入賞領域を前記普通可変入賞球装置４とし、前記識別情報が停止表示される特別可変表示装置１および普通可変表示装置２の表示面が複数の特別可変表示器１ａ，１ｂ，１ｃ及び複数の普通可変表示器２ａ，２ｂからなる弾球遊技機の可変表示装置において、特別可変表示装置１及び普通可変表示装置２は７セグＬＥＤを備え、７セグＬＥＤ駆動回路７５により特別可変表示装置１の識別情報を前記特別可変表示器１ａ，１ｂ，１ｃに停止表示させるとともに、普通可変表示装置２の識別情報を前記特別可変表示器１ａ，１ｂ，１ｃとは異なる前記普通可変表示器２ａ，２ｂに停止表示させ、入出力回路６４によりＲＯＭ６２に格納された動作プログラムデータに基づいて制御動作を行うＭＰＵ６１からの出力データを受けて外部へ出力し、前記ＭＰＵ６１及び入出力回路６４を備えたマイクロコンピュータ６０によって前記可変表示装置を停止制御させるための制御信号を導出し、前記７セグＬＥＤ駆動回路７５によって特別可変表示器１ａ，１ｂ，１ｃおよび複数の普通可変表示器２ａ，２ｂに特定の識別情報と所定の識別情報が表示制御される弾球遊技機の可変表示装置」（以下、「引用発明」という。）
　との発明が開示されていると認めることができる。
　また、引用例２［特開昭５６−３１７７２号公報］には、図面とともに、次の事項が記載されている。
「（１）映像表示装置を具え、遊技盤を用いた遊技球による遊技結果に応じて上記映像表示装置を用いて映像ゲームをなし得るパチンコ機において、遊技者が遊技をしていない状態にあることを表示する第１の表示パターンと、遊技者が遊技球による遊技中であることを表示する第２の表示パターンと、遊技者が映像ゲームによる遊技中であることを表示する第３の表示パターンとを、上記映像表示装置にて次々と表示することを特徴とするパチンコ機。」（第１頁左欄第５−１４行）
「ＣＲＴ７は制御装置３１によってパチンコ機１の状態に応じて第３図Ａ〜Ｃに示す如き３つの表示パターンの表示をする。その第１は第３図Ａに示す如く、当該パチンコ機１において遊技者が遊技を行っていない状態（いわゆる空状態）を表わすもので、簡単な文字や、記号によって例えば「毎度御来店ありがとうございます。○×ホール」のような挨拶文や、その他の遊技勧誘のための情報等を提示する。」（第２頁右上欄第１６行−左下欄第４行）
　また、引用例３［特開平３−５５０８２号公報］には、図面とともに、次の事項が記載されている。
「この発明は、パチンコ機に用いられる画像表示装置に関する。」（第１頁右欄第５−６行）
「画像表示装置4は、第３図〜第１０図のように遊技盤1の表面に取りつけられる前面ユニット26と、裏面に取りつけられる後面ユニット27とからなる。」（第２頁右下欄第１５−１８行）
「後面ユニット27は、遊技盤1の裏面に取付けられる基枠51と、液晶表示パネル（液晶表示部）52と、液晶駆動基板53と、保護ケース54等からなる。」（第３頁左下欄第１−４行）
「液晶駆動基板53は、板上に後述する制御装置82と接続する配線83を固定した端子部84と、液晶表示パネル52の種々の表示データを記憶したLCD表示用ROM85と、制御装置82からの信号に応じてLCD表示用ROM85から所定の表示データを読み出すLCD表示用CPU86（LCD表示用ROM85を内蔵）と、読み出した表示データを液晶表示パネル52の各素子に合わせて出力するコントローラドライバ87とを配列、接続したもので、……」（第４頁右上欄第３−１２行）
「第14図は制御系のブロック構成を示すもので、制御装置82はCPU127、ROM128、RAM129、バッファゲート、出力ポート等からなるマイクロコンピュータにて構成される。  ROM128にはCPU127を制御するプログラムデータや画像表示装置４の制御データ等が格納され、CPU127はプログラムデータおよび各スイッチ22a、22c、23、24、131の検出信号等に基づいて、ROM128、RAM129とでデータの授受および処理等を行い、出力ポートを介して画像表示装置４の液晶駆動基板53のLCD表示用CPU86、壷部材41のソレノイド44、変動入賞装置５の可動部材112a、112bのソレノイド130、ランプ18a、18b、19a、19b、20a〜20c、30a、30b、47、114、115a、115b、LED39a〜39h、記憶個数表示LED32a〜32d、液晶照明ランプ73、74等に制御信号を出力する。また画像表示装置４の液晶駆動基板53のLCD表示用ROM85には前述したように液晶表示パネル（デジタル）52の表示データが格納されており、LCD表示用CPU86は制御装置82の出力ポートから送られた制御信号に応じて、LCD表示用ROM85から所定の表示データを読み出し、コントローラドライバ87を介してデジタル52に出力する。」（第６頁右下欄第４行−第７頁左上欄第１０行）
　また、引用例４［特開平２−１９５９７７号公報］には、図面とともに、次の事項が記載されている。
「（１）ドットマトリクス型表示器を有する遊技盤面と、前記遊技盤面上に設けられた所定の始動口に遊技球が入賞した場合に、前記ドットマトリクス型表示器の表示図柄を変動させるとともに、該図柄変動を停止する図柄変動停止手段と、前記図柄変動が停止した際の表示内容が所定の大当り表示であるか否かを判別する大当り判別手段と、該大当り判別手段により、大当り表示であることが判定された場合には、前記遊技盤面上に設けられた所定の大入賞口を所定条件で開放する大入賞口駆動手段と、前記大当り表示に関する図柄以外の遊技に関連する情報を前記マトリクス型表示器に表示させる関連情報表示手段とを具備することを特徴とするパチンコ遊技機。」（第１頁左欄第５行−右欄第１行）
「本実施例では、このドットマトリクス型表示器15の表示面を上下に二分し、さらに上半部を三等分することにより、第３図に示すように、計４つの図柄表示部23〜26に区分されている。」（第３頁右上欄第１５−１８行）
「下半部の図柄表示部26には、第４図に示すような車の図形や、第５図に示す「祝入賞ＶゾーンinV入賞」等のテロップが表示される。前記車の図形内には、「大一」、「０」、「−０」、「＋０」、「−１」、「＋１」の６種類のネガ図柄のうちの一つが表示される。」（第３頁左下欄第１７行−右下欄第２行）
「なお、前記ドットマトリクス型表示器15に表示する図柄は、前記実施例に示したものに限定されるものではなく、左中右図柄表示部23〜25に表示する図柄をキャラクターにしたり、下図柄表示部26に表示するメッセージも前記実施例のもの以外のものにすることができる。」（第１０頁右上欄第１６行−左下欄第１行）
　
３．本願発明と引用発明との対比
　本願発明と、引用発明とを比較すると、
　引用発明の「遊技領域２２３」「特別可変表示装置１及び普通可変表示装置２」「始動入賞領域」「普通始動通過口７」「始動入賞領域へのパチンコ玉の通過に基づいて、特定の識別情報が特別可変表示装置１に停止表示された場合に開成される特別可変入賞装置３」「普通始動通過口７へのパチンコ玉の通過に基づいて、所定の識別情報が普通可変表示装置２の停止表示された場合に開成される普通可変入賞球装置４」「弾球遊技機の可変表示装置」は、それぞれ本願発明の「遊技盤面」「可変表示装置」「第１領域」「第２領域」「第１領域への発射球の通過に基づいて、特定の特別識別情報が可変表示装置の表示面に停止表示されたとき開放作動を行う第１の可変入賞球装置」「第２領域への発射球の通過に基づいて、特定の普通識別情報が前記可変表示装置の表示面に停止表示されたとき開放作動を行う第２の可変入賞球装置」「パチンコ機の画像表示装置」に相当するものと認められる。
　また、引用発明の「始動入賞領域を普通可変入賞球装置４とし」ていることは、本願発明の「第１領域を第２の可変入賞球装置の入賞領域に設け」ていることに相当する。
　また、引用発明の「識別情報が停止表示される特別可変表示装置１および普通可変表示装置２の表示面が複数の特別可変表示器１ａ，１ｂ，１ｃおよび複数の普通可変表示器２ａ，２ｂからなる」ことは、それぞれ別個の特別可変表示器１ａ，１ｂ，１ｃあるいは普通可変表示器２ａ，２ｂで１つの特別識別情報あるいは普通識別情報を表現するのであるから、本願発明の「識別情報の停止表示される可変表示装置の表示面が複数の分割表示面からなる」ことに相当する。
　また、引用発明の「特別可変表示装置１の識別情報を特別可変表示器１ａ，１ｂ，１ｃに停止表示させるとともに、普通可変表示装置２の識別情報を特別可変表示器１ａ，１ｂ，１ｃとは異なる普通可変表示器２ａ，２ｂに停止表示させる」ことは、本願発明の「前記普通識別情報を前記特別識別情報が停止表示される分割表示面とは異なる分割表示面に停止表示させ」ることに相当する。
　また、引用発明の「入出力回路６４によりＲＯＭ６２に格納された動作プログラムデータに基づいて制御動作を行うＭＰＵ６１からの出力データを受けて外部へ出力し、前記ＭＰＵ６１及び入出力回路６４を備えたマイクロコンピュータ６０によって前記可変表示装置を停止制御させるための制御信号を導出し、７セグＬＥＤ駆動回路７５によって特別可変表示器１ａ，１ｂ，１ｃおよび複数の普通可変表示器２ａ，２ｂに特定の識別情報と所定の識別情報が表示制御される」ことと、本願発明の「インターフェイス回路は、ＲＯＭに備えられた制御プログラム及び各種データに基づいて制御を行うＭＰＵとの電気的整合を図るためのものであり、前記ＭＰＵによって特別識別情報および普通識別情報に相当する停止図柄データが選択され、該停止図柄データに応じた制御信号が前記ＭＰＵから前記インターフェイス回路を介してビデオ制御回路に入力され、該ビデオ制御回路によって同一画面上の前記複数の分割表示面に特別識別情報と普通識別情報が表示制御される」こととは、「インターフェイス回路により、ＲＯＭに備えられた制御プログラム及び各種データに基づいて制御を行うＭＰＵとの電気的整合を図り、前記ＭＰＵによって特別識別情報および普通識別情報に相当する停止図柄データが選択され、該停止図柄データに応じた制御信号が前記ＭＰＵから前記インターフェイス回路を介して制御回路に入力され、該制御回路によって複数の分割表示面に特別識別情報と普通識別情報が表示制御される」ことで共通する。
　そうすると、引用発明と本願発明の両者は「遊技盤面に識別情報が表示される可変表示装置と、発射球が通過可能な第１領域および第２領域と、前記第１領域への発射球の通過に基づいて、特定の特別識別情報が前記可変表示装置の表示面に停止表示されたとき開放作動を行う第１の可変入賞球装置と、前記第２領域への発射球の通過に基づいて、特定の普通識別情報が前記可変表示装置の表示面に停止表示されたとき開放作動を行う第２の可変入賞球装置とを備え、前記第１領域を前記第２の可変入賞球装置の入賞領域に設け、前記識別情報の停止表示される前記可変表示装置の表示面が複数の分割表示面からなるパチンコ機の画像表示装置において、前記普通識別情報を前記特別識別情報が停止表示される分割表示面とは異なる分割表示面に停止表示させ、インターフェイス回路により、前記可変表示装置と、ＲＯＭに備えられた制御プログラム及び各種データに基づいて制御を行うＭＰＵとの電気的整合を図り、前記ＭＰＵによって特別識別情報および普通識別情報に相当する停止図柄データが選択され、該停止図柄データに応じた制御信号が前記ＭＰＵから前記インターフェイス回路を介して制御回路に入力され、該制御回路によって前記複数の分割表示面に特別識別情報と普通識別情報が表示制御されるパチンコ機の画像表示装置」である点で一致し、以下の点で相違しているものと認められる。
　
・相違点１
　可変表示装置に、本願発明では一般情報が表示されるのに対し、引用発明では一般情報が表示されない点。
・相違点２
　可変表示装置が、本願発明では、ＬＣＤカラーパネル、ビデオ制御回路、キャラクタジェネレータＲＯＭ、ビデオＲＡＭ及びインターフェイス回路とを備えているのに対し、引用発明では、７セグＬＥＤを備えているだけであり、ＬＣＤカラーパネル、ビデオ制御回路、キャラクタジェネレータＲＯＭ、ビデオＲＡＭ及びインターフェイス回路については備えていない点。
・相違点３について
　複数の分割表示面が、本願発明では、同一画面上であるのに対し、引用発明では、同一画面上ではない点。
　
４．当審の判断
　そこで、上記相違点について検討する。
i.　相違点１について
　パチンコ機の表示装置において、デモ画面や各種のメッセージ画面などの遊技が行われていないときに表示される画面、すなわち一般情報が表示されることは引用例２等に記載されているように周知技術であり、引用発明を認定した引用例１には、可変表示装置として、表示態様の自由度の高い液晶表示式やドットマトリクス式等が示唆されていることを考慮すれば、引用発明の可変表示装置に一般情報を表示して相違点１に係る本願発明の構成とすることは、当業者にとって格別困難なことではない。
ii.　相違点２について
　画像表示装置に、表示データ記憶用ＲＯＭ（本願発明の「キャラクタジェネレータＲＯＭ」に相当）を備え、ＣＰＵ（本願発明の「ＭＰＵ」に相当）が、ＲＯＭに記憶されたプログラム等のデータに応じた制御信号を、インターフェイス回路を介してコントロールドライバ（本願発明の「ビデオ制御回路」に相当）に入力させることが、引用例３等に記載されているように周知技術であり、引用発明を認定した引用例１に可変表示装置として液晶表示式が示唆されており、可変表示装置が液晶表示式であれば、引用発明において当該周知技術を採用することは、当業者が格別困難なく想起し得る事項にすぎない。
　また、インターフェイス回路等を、可変表示装置に備えた構成とするか、可変表示装置とは別の箇所に設けた構成とするかは、パチンコ機内における回路配置スペースの都合や、可変表示装置とそれに関連する回路等とのユニット化を進める上での事情等を考慮して、当業者が適宜決定し得る程度の単なる設計的事項にすぎない。
　さらに、画像表示装置において、その表示面をＬＣＤカラーパネルとすることは特開昭６２−２９３２９７号公報等に記載されているように、また、ビデオＲＡＭを備えることは、特開昭６４−５９３７７号公報、特開平２−１２４１９０号公報等に記載されているようにそれぞれ周知技術であり、引用発明に当該周知技術を採用することは、引用発明を認定した引用例１に、可変表示装置として液晶表示式が示唆されていることを考慮すれば、当業者にとって格別困難なことではない。
iii.　相違点３について
　パチンコ機の表示装置において、複数の図柄等をそれぞれ表示する個所、すなわち分割表示面を同一画面上で表示することは引用例４等に記載されているように周知技術であり、引用発明を認定した引用例１に、可変表示装置として液晶表示式やドットマトリクス式等のような一画面上で複数の図柄等の画像を表示することが可能な実施態様が示唆されていることを考慮すれば、引用発明の分割表示面を同一画面上とすることは、当業者にとって格別困難なことではない。
　
　そして、本願発明の奏する作用・効果は、引用発明及び周知技術より当業者が予測し得る範囲内のものである。
　したがって、本願発明は、引用発明及び周知技術に基づいて当業者が容易に発明をすることができたものである。
　
５．むすび
　以上のとおりであるから、請求項１に係る発明は、引用発明及び周知技術に基づいて当業者が容易に発明をすることができたものであるので、特許法第２９条第２項の規定により特許を受けることができない。
　請求項１に係る発明が特許を受けることができないものである以上、この特許出願について拒絶をすべき旨の査定をしなければならないから、請求項２及び３に係る発明については検討するまでもないものである。
　よって、結論のとおり審決する。